(57)【要約】  【課題】  デジタル無線通信システムにおける小型で操作性に優れたハンディタイプの無線局装置を提供すること。  【解決手段】  無線送受信部１と呼出し符号プリセット部２、表示制御部３、それに表示部４を備え、無線送受信部１には、マイクロホン５とスピーカ６、アンテナ７、それにプレストークスイッチ８が接続され、呼出し符号プリセット部２には選択スイッチ９が接続され、そして表示制御部３にはスクロールスイッチ１０が接続されている無線局装置において、呼出し符号プリセット部２に、移動局名又はグループ名に対応して各移動局又はグループの呼出番号をテーブル化して記憶しておき、表示制御部３により移動局名又はグループ名を表示部４に表示させ、表示された移動局名又はグループ名の中から選択スイッチ９により選択した移動局又はグループの呼出番号がデータαとして無線送受信部１に供給されるようにし、移動局名又はグループ名の選択だけで呼出番号が送信できるようにして、テンキーが不要にできるようにしたもの  【選択図】  図１
2006197221.tif 000002
【特許請求の範囲】
【請求項１】
デジタル移動無線通信システムに組み込まれて使用され、発呼時に相手移動局又は相手移動局グループの呼出番号を送信する方式の移動無線装置において、
前記相手移動局の名称又は前記相手移動局グループの名称に対応して当該相手移動局又は当該相手移動局グループの呼出番号を記憶したテーブルと、
このテーブルに記憶されている相手移動局の名称又は相手移動局グループの名称を表示部に表示させる表示制御部と、
前記表示部の表示から、相手移動局の名称又は相手移動局グループの名称の１つを選択する入力手段とを設け、
前記入力手段により選択された相手移動局又は相手移動局グループの呼出番号が前記テーブルから読出されて発呼時に送信されるように構成されていることを特徴とする移動無線装置。
【請求項２】
デジタル移動無線通信システムに組み込まれて使用され、表示部にメッセージ表示用の表示エリアを備えた移動無線装置において、
前記表示エリアの広さを制御する表示制御部を設け、
前記表示エリアの広さが表示すべきメッセージの文字数に応じて変化されるように構成されていることを特徴とする移動無線装置。
【発明の詳細な説明】
【技術分野】
【０００１】
本発明は、基地局と移動局を備えたデジタル無線通信システムに係り、特に、当該システムにおける移動局のための移動無線装置に関するものである。
【背景技術】
【０００２】
近年、特定の場所で使用される移動通信システムにもデジタル化のすう勢は目覚ましく、このため、基地局と移動局を備えたデジタル無線通信システムについても規格が定められるようになっている(例えば非特許文献１参照。)。
【０００３】
この規格によるデジタル無線通信システムの一例をイメージ的に示したのが図６で、このシステムでは、無線装置と制御装置に指令卓を備え、無線装置には送信用と受信用のアンテナが設けられている基地局が設置され、複数の移動局が基地局を介して相互にデジタル通信を行なうようになっている。
【０００４】
このため、各移動局には、予め呼出番号が個別に割当てられていて、通話相手を呼び出す際には、相手移動局の呼出番号を入力するようようになっている。また、このとき、移動局をグループ分けし、グループ単位で複数の移動局を同時に呼び出すこともできるようにしている場合もあり、この場合は当該グループに個別に割当てられている呼出番号を入力する必要があり、このため従来技術による移動局では、０から９までの１０個の押しボタンからなるテンキーが設けられているのが通例である。
【０００５】
このときの基地局は１局に限らず、２局以上設けられる場合もあり、この場合は、各基地局の通信範囲を基地ゾーンとし、複数の基地局を介して、あたかも携帯電話のように他の移動局を呼出してデジタル通話が行なわれることになる。
【０００６】
また、このようなデジタル無線通信システムでは、通話だけではなく、文字や記号によるメッセージが伝送できるシステムになっている場合があり、この場合は、移動局の表示部にメッセージが表示されるようになっているのが一般的であるが、このとき、特に、図６において、例えば移動局Ｎo.１として示されているハンディタイプ(手持ち型)の移動局の場合は、その筐体に表示部が設けてあり、この表示部には、表示用のエリアとして、通常、図７に示すように、エリア１とエリア２、それにエリア３が設定してある。
【０００７】
そして、「アンテナ表示」や「電池表示」など、移動局の現在の状態を表わす情報は、図示のように、上側のエリア１に表示させ、「通話」や「複信」など、移動局の動作モードを表わす情報は、同じく図示のように、下側のエリア３に表示させるが、メッセージについては、その認識性向上の見地から、中央のエリア２に表示させるようにしている。
【非特許文献１】社団法人電波産業会制定、“空港内デジタル移動通信システム  ＡＲＩＢ−ＳＴＤ−Ｔ８７”
【発明の開示】
【発明が解決しようとする課題】
【０００８】
上記従来技術は、ハンディタイプの移動局の場合、筐体にテンキーと表示部を要する点に配慮がされておらず、小型化と操作性の向上に問題があった。
【０００９】
ここで、まず、テンキーは、その名の如く１０個の押しボタンが必要な上、押しボタンの寸法についても、人の指で操作するのであるから、小さくするにも自ずと限度があり、このためテンキーの設置には、かなりのスペースを要する。また、近年は文字メールばやりの風潮にあり、このため、表示可能なメッセージの増加要求が強いことから、表示部については表示エリアの拡大が望まれ、この見地からも、かなりのスペースが必要になってしまう。
【００１０】
このとき、メッセージ表示エリアの不足を、メッセージのスクロール動作により補うようにした方法も知られているが、この場合、今度は操作性の低下がもたらされてしまい、従って、従来技術では、小型化と操作性に問題が生じてしまうのである。
【００１１】
本発明の目的は、デジタル無線通信システムにおける小型で操作性に優れたハンディタイプの無線局装置を提供することにある。
【課題を解決するための手段】
【００１２】
上記目的は、デジタル移動無線通信システムに組み込まれて使用され、発呼時に相手移動局又は相手移動局グループの呼出番号を送信する方式の移動無線装置において、前記相手移動局の名称又は前記相手移動局グループの名称に対応して当該相手移動局又は当該相手移動局グループの呼出番号を記憶したテーブルと、このテーブルに記憶されている相手移動局の名称又は相手移動局グループの名称を表示部に表示させる表示制御部と、前記表示部の表示から、相手移動局の名称又は相手移動局グループの名称の１つを選択する入力手段とを設け、前記入力手段により選択された相手移動局又は相手移動局グループの呼出番号が前記テーブルから読出されて発呼時に送信されるようにして達成される。
【００１３】
同じく上記目的は、デジタル移動無線通信システムに組み込まれて使用され、表示部にメッセージ表示用の表示エリアを備えた移動無線装置において、前記表示エリアの広さを制御する表示制御部を設け、前記表示エリアの広さが表示すべきメッセージの文字数に応じて変化されるようにして達成される。
【発明の効果】
【００１４】
本発明によれば、筐体にテンキーボタンを実装する必要がないので、小型化が図れる。
【００１５】
また、本発明によれば、表示エリアを広げなくても、表示するメッセージが多い場合に対応できるので、小型化が図れ、メッセージの表示にスクロールが必要な場合でも、スクロールを少なくできるので、操作性の低下を抑えることができる。
【発明を実施するための最良の形態】
【００１６】
以下、本発明による移動無線装置について、図示の実施の形態により詳細に説明する。
【００１７】
図１は、本発明をハンディタイプの移動局に適用した場合の一実施形態で、図示のように、この実施形態に係る移動無線装置Ｍは、無線送受信部１と呼出し符号プリセット部２、表示制御部３、それに表示部４を備えている。そして、無線送受信部１には、マイクロホン５とスピーカ６、アンテナ７、それにプレストークスイッチ８が接続され、呼出し符号プリセット部２には選択スイッチ９が接続され、表示制御部３にはスクロールスイッチ１０が接続されている。
【００１８】
そして、これらは、図２に示すように、長方形箱型の筐体１１に収められているが、このとき、図示のように、表示部４とマイクロホン５、スピーカ６、それにスクロールスイッチ１０の操作釦１０Ａは、筐体１１の正面に設けられ、側面にはプレストークスイッチ８の操作釦８Ａと選択スイッチ９の操作釦９Ａ、それにスクロールスイッチ１０の操作ダイアル１０Ａが設けてあり、筐体１１の上部にはアンテナ７が設けてある。
【００１９】
しかも、この筐体１１は、例えば幅約５５ｍｍ×厚さ約３０ｍｍ×高さ約１００ｍｍ程度のハンディタイプにふさわしい寸法に作られていて、一般的なトランシーバに類似した形状を備え、同じようにプレストーク方式による類似した動作態様で通信ができるようになっているが、しかし、この実施形態による移動無線装置Ｍでは、図６で説明したデジタル無線通信システムに組み込まれて使用される点で、一般的なトランシーバとは異なっている。
【００２０】
また、このとき、通信相手となる移動局が基地局を介して複数の中から選択できるようになっている点でも、この実施形態による移動無線装置Ｍは一般的なトランシーバとは大きく異なっていて、むしろ携帯電話に近い使い勝手が、このシステム内でも得られるものであり、以下、この点も含めて、この実施形態による移動無線装置Ｍの動作について説明する。
【００２１】
図１において、無線送受信部１は、図示してない電源スイッチが投入されたとき動作状態になるが、このときプレストーク方式の受信動作に初期設定される。このとき、図６で説明したデジタル無線通信システムに組み込まれて使用されることから、発呼モード(通話相手を呼び出す動作モード)にされたときには、まず、相手移動局の呼出番号を基地局に送信するようになっている。このとき発呼モードにするためには、例えばプレストークスイッチ８をトーク位置に操作するようにしてもよく、別途、押釦スイッチなどの入力部を筐体１に設け、これを操作するようにしてもよい。
【００２２】
なお、このとき従来技術では、テンキーにより相手移動局の呼出番号を入力するようになっているので、小型化などに問題が生じてしまうことは、既に説明したとおりであるが、この実施形態では、図１に示すように、呼出し符号プリセット部２が設けてあり、これにより、以下に説明する動作が得られるように構成してあるので、従来技術で説明した問題が発生する虞はない。
【００２３】
このため、呼出し符号プリセット部２は、所定のメモリを備えていて、これに図３に示すように、移動局名又はグループ名に対応して、各移動局又は各グループに割当てられている呼出番号を記憶したテーブルが設定してある。そして、選択スイッチ９により移動局名又はグループ名が選択されると、これに応じて、当該選択された移動局名又はグループ名の移動局又はグループの呼出番号が検索され、この呼出番号を表わすデータαが無線送受信部１に入力されるように構成してある。
【００２４】
そして、これに応じて、無線送受信部１は、データαが入力され、発呼モードにされると、このデータαにより与えられる相手移動局又は相手グループの呼出番号を基地局に送信し、これにより個別呼出しによる他の移動局との通話が確立されるように構成してある。
【００２５】
ここで、この実施形態では、図１と図２から明らかなように、移動無線装置Ｍにはテンキーが設けられていない。従って、上記したテーブルの設定には、図４に示すように、例えばパソコンなどからなるプリセット設定用外部装置Ｇを用意し、これに移動無線装置ＭをケーブルＫにより接続することにより、プリセット設定用外部装置Ｇからテーブルが設定されるように、呼出し符号プリセット部２が構成してある。
【００２６】
次に、このときの呼出し符号プリセット部２による移動局名又はグループ名の選択動作について説明すると、このため、まず呼出し符号プリセット部２に、２系統の接点９ａ、９ｂを備えた切換接点型の選択スイッチ９を設ける。そして、これに応じて、呼出し符号プリセット部２を、以下の動作が実行できるように構成するのである。
【００２７】
すなわち、呼出し符号プリセット部２は、選択スイッチ９が操作されると、それに応じて表示制御部３に制御信号βを供給し、これより、表示制御部３にプリセットさせてある移動局名又はグループ名が表示部４に表示されるように制御し、更に選択スイッチ９の操作により、表示部４の表示が任意にスクロールされ、例えば選択スイッチ９の接点９ａが閉じられたときは一方にスクロールされ、接点９ｂが閉じられたときは他方にスクロールされるように制御するのである。
【００２８】
このとき、選択スイッチ９としては、例えばシーソー操作型やスライド操作型のスイッチ、或いは往復回動ダイヤル型のスイッチなど、一方に操作したときとは一方の接点９ａが閉じ、他方に操作したときは他方の接点９ｂが閉じるようになっているスイッチを用いれば良い。
【００２９】
そこで、ユーザは、発呼に際して選択スイッチ９を操作し、これにより発呼相手として望んでいる移動局名又はグループ名が表示部４に表示されるようにしてやれば、ここで選択された移動局名又はグループ名に対応した呼出番号が無線送受信部１にデータαとして入力され、この後、例えばプレストークスイッチ８の操作など、所定の手順による操作を行なえば、既に説明したようにして、個別呼出しによる他の移動局との通話が確立されることになる。
【００３０】
従って、この実施形態によれば、個別呼出しによる他の移動局との通話にテンキーを用いた入力操作が不要で、筐体１１にテンキーを設ける必要がなくなるので、移動無線装置Ｍの小型化に大きく寄与することができる。
【００３１】
また、この実施形態によれば、個別呼出しによる発呼に必要な操作が、選択スイッチ９の操作と、それにより表示部４に表示される移動局名又はグループ名の認識だけで得られるので、操作が簡便になり、相手の呼出番号が判然としてなくても発呼が行なえるので、良好な使い勝手を得ることができる。
【００３２】
次に、この実施形態における表示部４の表示モードについて説明すると、まず、この実施形態でも、表示部４の表示用エリアが、エリア１とエリア２、それにエリア３に設定されている点は、既に図７で説明した従来技術の場合と同様であり、このときメッセージの表示がスクロールスイッチ１０によりスクロールできるようになっている点も同じである。しかし、この実施形態では、エリア２におけるメッセージの表示モードが、当該メッセージの文字数(メッセージ量)に応じて変化し、エリア３も含んだ表示になるようにしてある点で、従来技術とは異なっている。
【００３３】
このため、この実施形態では、表示部４の表示態様が表示制御部３により制御され、表示すべきメッセージの量がエリア２の表示に収まらなくなったときは、図５に示すように、エリア３もメッセージの表示エリアとして割当てられる動作が与えられるように表示制御部３が構成されている。
【００３４】
具体的に説明すると、この実施形態の場合、まず、表示すべきメッセージの文字数が表示部４のエリア２、つまり２行のエリアに収まる文字数であったときは、図７の従来技術の場合と同じ表示モードになる。また、このときはスクロールも不要なことは言うまでもない。
【００３５】
一方、表示すべきメッセージの文字数が増加し、表示部４にある２行のエリア２に収まらなくなったときは、表示制御部３は、図５に示すように、エリア３もメッセージの表示エリアに含まれるように表示動作を制御する。この結果、メッセージ表示エリアは３行に広がる。そこで、まず、このときのメッセージの文字数が３行のエリア以下であった場合には、メッセージの全文がエリア２とエリア３に同時に表示されることになり、このときは、文字数が増加したにもかかわらず、スクロールは不要になる。
【００３６】
ここで、更に表示すべきメッセージの文字数が増加し、図５に示すように、エリア３もメッセージの表示エリアになって３行になったにもかかわらず、全文が同時に表示できなくなってしまったときには、やはりスクロールが必要になるが、この場合でも、全文を見るのに必要なスクロールの回数は、表示エリアが３行に広がっている分、少なくて済むことになる。
【００３７】
従って、この実施形態によれば、メッセージが長くなっても、スクロールを行なわずに読み取りが得られるようになる場合が多くなり、スクロールを要する場合でも、スクロールの回数が抑えられるので、表示部４を広げないで操作性の改善を得ることができ、移動無線装置Ｍの小型化を図ることができる。
【００３８】
ところで、このようなハンディタイプの無線局装置の場合、アンテナが上側になるようにして使用されるのが通例であり、従って、この実施形態では、スピーカ６が筐体１１の上方に設けられ、表示部４は下方に設けられていることになる。また、このとき、選択スイッチ９の操作釦９ａもプレストークスイッチ８の操作釦８ａと共に、筐体１１の上方に設けられていることになる。
【００３９】
しかも、この場合、筐体１１の表示部４やマイクロホン５、それにスピーカ６が設けられている方の面が露出するようにして把持されるのが自然な使用状態になるので、筐体１１の表示部４などが設けられている方の面を表面とすると、この移動無線装置Ｍは裏面から把持された状態で使用されることになる。
【００４０】
このとき、この実施形態では、筐体１１の上方にプレストークスイッチ８と選択スイッチ９があり、ここで掌により装置を把持した場合、これらのスイッチの操作釦が親指で操作できるようにして把持するのが、右利きの人間が多いことから、これも自然なことであると言え、この結果、この移動無線装置Ｍは筐体１１の上側で把持されることになる。
【００４１】
そうすると、この実施形態によれば、ユーザが把持して使用した場合、表示部４が指で隠されてしまう虞を少なくすることができ、この点でも操作性の改善が得られることになる。
【００４２】
なお、この実施形態では、表示部４のエリア２がメッセージの２行分であり、エリア３も含めても３行になるようにしているが、本発明は、これに限定されるものではなく、エリア２が１行分の実施形態としても良く、３行分以上の実施形態としても良いことは言うまでもない。
【図面の簡単な説明】
【００４３】
【図１】本発明による無線局装置の一実施形態を示すブロック図である。
【図２】本発明による無線局装置の一実施形態を示す外観図である。
【図３】本発明の一実施形態におけるプリセットの説明図である。
【図４】本発明の一実施形態におけるテーブル設定の説明図である。
【図５】本発明の一実施形態による表示エリアの説明図である。
【図６】デジタル無線通信システムの一例をイメージで示した説明図である。
【図７】従来技術による表示エリアの説明図である。
【符号の説明】
【００４４】
１：無線送受信部
２：呼出し符号プリセット部
３：表示制御部
４：表示部
５：マイクロホン
６：スピーカ
７：アンテナ
８：プレストークスイッチ
８Ａ：操作釦(プレストークスイッチの操作釦)
９：選択スイッチ
９Ａ：操作釦(選択スイッチの操作釦)
１０：スクロールスイッチ
１０Ａ：操作釦(スクロールスイッチの操作釦)
Ｍ：移動無線装置(本発明の一実施形態)
Ｇ：パソコンなどによるプリセット設定用外部装置
Ｋ：ケーブル
【図１】
2006197221.tif 000003
【図２】
2006197221.tif 000004
【図３】
2006197221.tif 000005
【図４】
2006197221.tif 000006
【図５】
2006197221.tif 000007
【図６】
2006197221.tif 000008
【図７】
2006197221.tif 000009